(57)【要約】      （修正有）【課題】受信機の筐体から食み出るアンテナカバー部のアンテナストロークを縮めること。【解決手段】互いに対向する主面３０ａ及び裏面３０ｂを持ち、裏面に低雑音増幅器が搭載された回路基板３０Ａと、中心軸に沿って上下方向に延在し、回路基板に搭載されたポール型アンテナモジュール２０と、低雑音増幅器を覆うように回路基板の裏面に取り付けられたシールドカバー４０とを有するアンテナ装置１０Ａにおいて、回路基板３０Ａは、ポール型アンテナモジュールの外形と実質的に等しい形で、主面と裏面との間を上下方向に貫通する貫通孔を持つ。ポール型アンテナモジュール２０は、その下部が貫通孔を貫通してシールカバー４０内に挿入され、且つその上部が回路基板の主面３０ａから突出した状態で、回路基板３０Ａに搭載されている。【選択図】図３
2008072266.tif 000002
【特許請求の範囲】
【請求項１】
互いに対向する主面及び裏面を持ち、該裏面に低雑音増幅器が搭載された回路基板と、中心軸に沿って上下方向に延在し、前記回路基板に搭載されたポール型アンテナモジュールと、前記低雑音増幅器を覆うように前記回路基板の前記裏面に取り付けられたシールドカバーとを有するアンテナ装置において、
前記回路基板は、前記ポール型アンテナモジュールの外形と実質的に等しい形で、前記主面と前記裏面との間を前記上下方向に貫通する貫通孔を持ち、
前記ポール型アンテナモジュールは、その下部が前記貫通孔を貫通して前記シールカバー内に挿入され、且つその上部が前記回路基板の前記主面から突出した状態で、前記回路基板に搭載されていることを特徴とする、アンテナ装置。
【請求項２】
前記ポール型アンテナモジュールは、
可撓性の誘電体フィルム部材を前記中心軸の回りで筒状に形成した筒体と、
前記上部で、前記筒体の周面に形成された複数本の導体から成るアンテナパターンと、
前記下部で、前記筒体の周面に前記アンテナパターンと電気的に接続されて形成されたフェーズシフタパターンと、
を有する、請求項１に記載のアンテナ装置。
【請求項３】
前記アンテナパターンは、前記中心軸方向で螺旋状に延在して形成されたヘリカルパターンと、前記筒体の上端部において前記ヘリカルパターンの端部と接続されるループパターンとから構成されていることを特徴とする、請求項２に記載のアンテナ装置。
【請求項４】
前記ヘリカルパターンは、前記中心軸方向で少なくとも１回反対方向へ屈曲した屈曲部を有する、請求項３に記載のアンテナ装置。
【請求項５】
前記ヘリカルパターンは、前記螺旋状に延在する部分の少なくとも一部がミアンダ状にされていることを特徴とする、請求項３又は４に記載のアンテナ装置。
【請求項６】
前記アンテナパターンと前記フェーズシフタパターンは、前記筒体の内周面に形成されており、
前記筒体の外周面で、且つ前記フェーズシフタパターンが形成された場所と対応する面に形成されたグランドパターンを更に有する、請求項２乃至５のいずれか１つに記載のアンテナ装置。
【請求項７】
筐体の上端部側に内蔵されたアンテナ装置を含む受信機であって、前記アンテナ装置は、互いに対向する主面及び裏面を持ち、該裏面に低雑音増幅器が搭載された回路基板と、中心軸に沿って上下方向に延在し、前記回路基板に搭載されたポール型アンテナモジュールと、前記低雑音増幅器を覆うように前記回路基板の前記裏面に取り付けられたシールドカバーとを備え、前記受信機は、前記筐体の上端から上方へ突出して、前記ポール型アンテナモジュールを覆うアンテナカバー部を有する、前記受信機おいて、
前記回路基板は、前記ポール型アンテナモジュールの外形と実質的に等しい形で、前記主面と前記裏面との間を前記上下方向に貫通する貫通孔を持ち、
前記ポール型アンテナモジュールは、その下部が前記貫通孔を貫通して前記シールカバー内に挿入され、且つその上部が前記回路基板の前記主面から突出した状態で、前記回路基板に搭載されていることを特徴とする、受信機。
【請求項８】
前記ポール型アンテナモジュールは、
可撓性の誘電体フィルム部材を前記中心軸の回りで筒状に形成した筒体と、
前記上部で、前記筒体の周面に形成された複数本の導体から成るアンテナパターンと、
前記下部で、前記筒体の周面に前記アンテナパターンと電気的に接続されて形成されたフェーズシフタパターンと、
を有する、請求項７に記載の受信機。
【請求項９】
前記アンテナパターンは、前記中心軸方向で螺旋状に延在して形成されたヘリカルパターンと、前記筒体の上端部において前記ヘリカルパターンの端部と接続されるループパターンとから構成されていることを特徴とする、請求項８に記載の受信機。
【請求項１０】
前記ヘリカルパターンは、前記中心軸方向で少なくとも１回反対方向へ屈曲した屈曲部を有する、請求項９に記載の受信機。
【請求項１１】
前記ヘリカルパターンは、前記螺旋状に延在する部分の少なくとも一部がミアンダ状にされていることを特徴とする、請求項９又は１０に記載のアンテナ装置。
【請求項１２】
前記アンテナパターンと前記フェーズシフタパターンは、前記筒体の内周面に形成されており、
前記筒体の外周面で、且つ前記フェーズシフタパターンが形成された場所と対応する面に形成されたグランドパターンを更に有する、請求項８乃至１１のいずれか１つに記載の受信機。
【発明の詳細な説明】
【技術分野】
【０００１】
本発明は、アンテナ装置に関し、特に、人工衛星からの電波（以下「衛星波」とも呼ぶ。）または地上での電波（以下「地上波」とも呼ぶ。）を受信してデジタルラジオ放送を聴取することが可能なデジタルラジオ受信機用のパーソナルタイプのアンテナ装置及びそれを内蔵した受信機に関する。
【背景技術】
【０００２】
最近、衛星波または地上波を受信して、デジタルラジオ放送を聴取可能にしたデジタルラジオ受信機が開発され、米国において実用化されている。このデジタルラジオ受信機は、一般には、自動車等の移動体に搭載され、周波数が約２．３ＧＨｚ帯の電波を受信してラジオ放送を聴取することが可能である。すなわち、デジタルラジオ受信機は、モバイル放送を聴取することが可能なラジオ受信機である。受信電波の周波数が約２．３ＧＨｚ帯なので、そのときの受信波長（共振波長）λは約１２８．３ｍｍである。尚、地上波は、衛星波を一旦、地球局で受信した後、周波数を若干シフトし、直線偏波で再送信したものである。すなわち、衛星波は円偏波であるの対して、地上波は直線偏波である。
【０００３】
このようにデジタルラジオ放送では、約２．３ＧＨｚ帯の周波数の電波が使用されるので、その電波を受信するアンテナ装置は、室外に設置されなければならない。
【０００４】
デジタルラジオ受信機としては、自動車に搭載されるもの、家屋などに設置されるもの、さらに、バッテリを電源として持ち運びができるハンディ型のものがある。ハンディ型のデジタルラジオ受信機では、上記アンテナ装置を筐体に内蔵している。
【０００５】
一方、約２．３ＧＨｚ帯の周波数の電波を受信するアンテナとしては、種々の構造のものが提案されている。その形状で大別すると、パッチアンテナである平面型（平板型）と、ループアンテナやヘリカルアンテナ等の円筒型とがある。このような平面型アンテナや円筒型アンテナは、前述したハンディ型のデジタルラジオ受信機の筐体に内蔵される。
【０００６】
尚、一般的に円筒型アンテナが平面型アンテナよりも使用されている。その理由は、広い指向性がアンテナを円筒型に形成することによって達成されるからである。上述したように、円筒型アンテナは、ループアンテナとヘリカルアンテナとに大別される。
【０００７】
ループアンテナとしては、電磁結合型４点給電ループアンテナが知られている（例えば、特許文献１参照）。この特許文献１に開示された電磁結合型４点給電ループアンテナは、可撓性の誘電体フィルム部材を中心軸の回りに筒状に丸めて形成された筒体と、この筒体にその周面に沿って中心軸の回りにループ状に形成されたループ部と、筒体の周面上に形成されたループ部へ給電する４本の給電線とを有する。ループ部には、４本の給電線に対して、それぞれ、ギャップを空けた状態でループ部から４本の給電線に沿って延在している４本の電磁結合線が接続されており、電磁結合によって給電を行っている。このループアンテナでは、中心軸と直交する方向へ延在する回路基板の裏面に接地導体パターンが形成されている。
【０００８】
一方、ヘリカルアンテナも知られている（例えば、特許文献２参照）。特許文献２では、可撓性の誘電体フィルム部材の一面上に４本のへリックス導線から成るアンテナパターンを印刷したもの（以下「アンテナパターン付き誘電体フィルム部材」と呼ぶ）を作製し、そのアンテナパターン付き誘電体フィルム部材を上記一面が外周面となるように中心軸の回りに円筒状に丸めることによって、ヘリカルアンテナを製造することを提案している。このようなヘリカルアンテナにおいても、中心軸と直交する方向へ延在する回路基板の裏面には接地導体パターンが形成されている。
【０００９】
尚、このような円筒型アンテナの場合、そのループ部から４本の電磁結合線を介して受信又はヘリックス導線で受信された複数の衛星波（円偏波）は、移相器によってそれらの位相をシフトすることにより互いに位相を一致させて（調整して）合成された後、低雑音増幅器（ＬＮＡ：Low Noise Amplifier）によって増幅され、受信機本体へ送られる。ここで、ヘリカルアンテナと移相器とＬＮＡとの組合せは、アンテナ装置と呼ばれる。
【００１０】
また、円筒状部材の外周面にアンテナパターンを形成して成るヘリカルアンテナと、その円筒状部材の外周面にアンテナパターンと連続して（接続して）形成されたフェーズシフタパターンを形成して成る移相器と、を含むアンテナモジュールも提案されている（例えば、特許文献３参照）。
【００１１】
このようなアンテナモジュールは、可撓性の誘電体フィルム部材を中心軸の周りに筒状に丸めて形成された筒体（円筒状部材）を有するので、ポール型アンテナモジュールと呼ばれる。
【００１２】
図１に、このようなポール型アンテナモジュールを含む、従来のアンテナ装置１０を示す。アンテナ装置１０は、ポール型アンテナモジュール２０と、回路基板３０と、シールドカバー４０とを有する。
【００１３】
回路基板３０は、互いに対向する主面（上面）３０ａと裏面（底面）３０ｂとを持つ。回路基板３０の主面３０ａ上にポール型アンテナモジュール２０が搭載されている。回路基板３０の裏面３０ｂには、上記低雑音増幅器（ＬＮＡ）（図示せず）が搭載されている。従って、回路基板３０はＬＮＡ基板とも呼ばれる。ＬＮＡは、回路基板３０の裏面３０ｂに取り付けられたシールドカバー４０で覆われている。
【００１４】
図２に、図１に示した従来のアンテナ装置１０を内蔵した、従来のハンディ型のデジタルラジオ受信機５０を示す。デジタルラジオ受信機５０は、略直方体形状の筐体５１を有し、この筐体５１に図１に示したアンテナ装置１０と受信機本体６０とが内蔵される。アンテナ装置１０は、筐体５１の上端部側に配置される。その結果、筐体５１は、その左上隅の上端５１ａから上方に突出する有頭の円筒状アンテナカバー部５２を有する。換言すれば、アンテナカバー部５２が筐体５１の上端５１ａから食み出ている。このアンテナカバー部５２は、アンテナ装置１０のポール型アンテナモジュール２０を覆う。アンテナカバー部５２は、筐体５１の上端５１ａから上方へ延在するアンテナストロークＨｃ１を有している。すなわち、アンテナカバー部５２は、アンテナストロークＨｃ１だけ筐体５１から食み出ている。
【００１５】
【特許文献１】特開２００３−２９８３３５号公報
【特許文献２】特開２００３−３７４３０号公報
【特許文献３】特開２００１−３３９２２８号公報
【発明の開示】
【発明が解決しようとする課題】
【００１６】
上述した従来のハンディ型のデジタルラジオ受信機５０では、アンテナ装置１０を内蔵するために、筐体５１の左上隅の上端５１ａからアンテナストロークＨｃ１分だけ突出する（食み出る）アンテナカバー部５２を有している。
【００１７】
ハンディ型のデジタルラジオ受信機５０の小型化を図るためには、このアンテナカバー部５２のアンテナストロークＨｃ１を極力縮めたいという要求がある。しかしながら、従来のアンテナ装置１０は、ＬＮＡ基板３０の主面３０ａからポール型アンテナモジュール２０が立設した構造を有しているので、アンテナカバー部５２のアンテナストロークＨｃ１は、ポール型アンテナモジュール２０の高さＨ１より低くすることは出来ない（Ｈｃ１＞Ｈ１）。その結果、ハンディ型のデジタルラジオ受信機５０の小型化の障害になっている。また、従来のハンディ型のデジタルラジオ受信機５０では、アンテナカバー部５２が筐体５１の左上隅の上端５１ａからアンテナストロークＨｃ１だけ高く突出する（食み出る）ので、外観上の見栄えも良くない。
【００１８】
したがって、本発明の課題は、受信機の筐体から食み出るアンテナカバー部のアンテナストロークを縮めることができる、アンテナ装置及びそれを内蔵した受信機を提供することにある。
【００１９】
本発明の他の課題は、外観性を向上させた受信機を提供することにある。
【課題を解決するための手段】
【００２０】
本発明の第１の態様によれば、互いに対向する主面（３０ａ）及び裏面（３０ｂ）を持ち、該裏面に低雑音増幅器が搭載された回路基板（３０Ａ）と、中心軸に沿って上下方向に延在し、前記回路基板に搭載されたポール型アンテナモジュール（２０）と、前記低雑音増幅器を覆うように前記回路基板の前記裏面に取り付けられたシールドカバー（４０）とを有するアンテナ装置において、前記回路基板（３０Ａ）は、前記ポール型アンテナモジュールの外形と実質的に等しい形で、前記主面と前記裏面との間を前記上下方向に貫通する貫通孔（３０ｃ）を持ち、前記ポール型アンテナモジュール（２０）は、その下部が前記貫通孔を貫通して前記シールカバー内に挿入され、且つその上部が前記回路基板の前記主面から突出した状態で、前記回路基板に搭載されていることを特徴とする、アンテナ装置（１０Ａ）が得られる。
【００２１】
上記本発明の第１の態様によるアンテナ装置において、前記ポール型アンテナモジュール（２０）は、可撓性の誘電体フィルム部材（２０ａ）を前記中心軸の回りで筒状に形成した筒体（２０ｂ）と、前記上部で、前記筒体の周面に形成された複数本の導体（２１，２２，２３，２４，２８）から成るアンテナパターンと、前記下部で、前記筒体の周面に前記アンテナパターンと電気的に接続されて形成されたフェーズシフタパターン（２５）と、を有するものであってよい。前記アンテナパターンは、前記中心軸方向で螺旋状に延在して形成されたヘリカルパターン（２１〜１４）と、前記筒体の上端部において前記ヘリカルパターンの端部と接続されるループパターン（２８）とから構成されてよい。前記ヘリカルパターン（２１〜２４）は、前記中心軸方向で少なくとも１回反対方向へ屈曲した屈曲部を有することが好ましい。前記ヘリカルパターン（２１〜２４）は、前記螺旋状に延在する部分の少なくとも一部がミアンダ状にされてよい。前記アンテナパターン（２１〜２４、２８）と前記フェーズシフタパターン（２５）は、前記筒体の内周面（２０−１）に形成されてよい。この場合、前記ポール型アンテナモジュールは、前記筒体の外周面（２０−２）で、且つ前記フェーズシフタパターンが形成された場所と対応する面に形成されたグランドパターン（２７）を更に有してよい。
【００２２】
本発明の第２の態様によれば、筐体（５１）の上端部側に内蔵されたアンテナ装置（１０Ａ）を含む受信機（５０Ａ）であって、前記アンテナ装置は、互いに対向する主面（３０ａ）及び裏面（３０ｂ）を持ち、該裏面に低雑音増幅器が搭載された回路基板（３０Ａ）と、中心軸に沿って上下方向に延在し、前記回路基板に搭載されたポール型アンテナモジュール（２０）と、前記低雑音増幅器を覆うように前記回路基板の前記裏面に取り付けられたシールドカバー（４０）とを備え、前記受信機は、前記筐体の上端から上方へ突出して、前記ポール型アンテナモジュールを覆うアンテナカバー部（５２Ａ）を有する、前記受信機おいて、前記回路基板（３０Ａ）は、前記ポール型アンテナモジュールの外形と実質的に等しい形で、前記主面と前記裏面との間を前記上下方向に貫通する貫通孔（３０ｃ）を持ち、前記ポール型アンテナモジュール（２０）は、その下部が前記貫通孔を貫通して前記シールカバー内に挿入され、且つその上部が前記回路基板の前記主面から突出した状態で、前記回路基板に搭載されていることを特徴とする、受信機が得られる。
【００２３】
上記本発明の第２の態様による受信機（５０Ａ）において、前記ポール型アンテナモジュール（２０）は、可撓性の誘電体フィルム部材（２０ａ）を前記中心軸の回りで筒状に形成した筒体（２０ｂ）と、前記上部で、前記筒体の周面に形成された複数本の導体（２１、２２、２３、２４、２８）から成るアンテナパターンと、前記下部で、前記筒体の周面に前記アンテナパターンと電気的に接続されて形成されたフェーズシフタパターン（２５）と、を有するものであってよい。前記アンテナパターンは、前記中心軸方向で螺旋状に延在して形成されたヘリカルパターン（２１〜２４）と、前記筒体の上端部において前記ヘリカルパターンの端部と接続されるループパターン（２８）とから構成されてよい。前記ヘリカルパターン（２１〜２４）は、前記中心軸方向で少なくとも１回反対方向へ屈曲した屈曲部を有することが好ましい。前記ヘリカルパターン（２１〜２４）は、前記螺旋状に延在する部分の少なくとも一部がミアンダ状にされていてよい。前記アンテナパターン（２１〜２４、２８）と前記フェーズシフタパターン（２５）は、前記筒体の内周面（２０−１）に形成されてよい。この場合、ポール型アンテナモジュールは、前記筒体の外周面（２０−２）で、且つ前記フェーズシフタパターンが形成された場所と対応する面に形成されたグランドパターン（２７）を更に有してよい。
【００２４】
尚、上記括弧内の符号は、本発明の理解を容易にするために付したものであり、一例にすぎず、これらに限定されないのは勿論である。
【発明の効果】
【００２５】
本発明では、回路基板にポール型アンテナモジュールの外形と実質的に等しい形の貫通孔を設け、ポール型アンテナモジュールの下部を貫通孔に貫通してシールドカバー内に挿入した状態で、ポール型アンテナモジュールを回路基板に搭載しているので、ポール型アンテナモジュールが回路基板の主面から突出する量を小さくすることができる。これにより、受信機の筐体から食み出るアンテナカバー部のアンテナストロークを縮めることができ、受信機の外観性を向上させることができる。
【発明を実施するための最良の形態】
【００２６】
以下、図面を参照して、本発明の実施の形態について詳細に説明する。
【００２７】
図３及び図４を参照して、本発明の一実施の形態に係るアンテナ装置１０Ａについて説明する。図３はアンテナ装置１０Ａを示す正面図であり、図４はアンテナ装置１０Ａに使用される回路基板３０Ａの平面図である。
【００２８】
図示のアンテナ装置１０Ａは、ポール型アンテナモジュール２０と、回路基板（ＬＮＡ基板）３０Ａと、シールドカバー４０とを有する。すなわち、アンテナ装置１０Ａは、後述するように、回路基板（ＬＮＡ基板）３０が回路基板（ＬＮＡ基板）３０Ａに変更された点を除いて、図１に示したアンテナ装置１０と同様の構成を有する。
【００２９】
回路基板（ＬＮＡ基板）３０Ａは、互いに対向する主面（上面）３０ａと裏面（底面）３０ｂとを持つ。また、図４に示されるように、回路基板３０Ａは、ポール型アンテナモジュール２０の外形と実質的に同一或いはそれより若干大きい形で、主面３０ａと裏面３０ｂを上下方向に貫通する貫通孔３０ｃを持つ。回路基板（ＬＮＡ基板）３０の裏面３０ｂには、上記低雑音増幅器（ＬＮＡ）（図示せず）が搭載されている。ＬＮＡは、回路基板（ＬＮＡ基板）３０の裏面３０ａに取り付けられたシールドカバー４０で覆われている。ホール型アンテナモジュール２０は、中心軸に沿って上下方向に延在し、後述するように、回路基板３０Ａに搭載される。
【００３０】
図３に示されるように、ポール型アンテナモジュール２０は回路基板３０Ａの貫通孔３０ｃを貫通した状態で、回路基板３０Ａに搭載される。詳述すると、ポール型アンテナモジュール２０は、その下部が貫通孔３０ｃを貫通してシールドカバー４０内に挿入され、且つその上部が回路基板３０Ａの主面３０ａから突出した状態で、回路基板３０Ａに搭載される。
【００３１】
図１に図示した従来のアンテナ装置１０では、ポール型アンテナモジュール２０は、回路基板３０の主面３０ａから高さＨ１だけ上方へ突出している。この高さＨ１は、当該ポール型アンテナモジュール２０の高さ（長さ）Ｈ１と等しい。これに対して、図３に図示したアンテナ装置１０Ａでは、ポール型アンテナモジュール２０は、回路基板３０の主面３０ａから高さＨ２だけ上方へ突出している。この高さＨ２は、当該ポール型アンテナモジュール２０の高さ（長さ）Ｈ１から回路基板３０Ａの厚さとシールドカバー４０の厚さとを加えた長さを減算して得られる高さに等しい。すなわち、本発明の実施の形態に係るアンテナ装置１０Ａの方が、従来のアンテナ装置１０に比較して、回路基板の主面からのポール型アンテナモジュール２０の突出量を小さく（低く）することができる（Ｈ２＜Ｈ１）。
【００３２】
図５に、図３に示したアンテナ装置１０Ａを内蔵した、ハンディ型のデジタルラジオ受信機５０Ａを示す。デジタルラジオ受信機５０Ａは、略直方体形状の筐体５１を有し、この筐体５１に図３に示したアンテナ装置１０Ａと受信機本体６０とが内蔵される。アンテナ装置１０Ａは、筐体５１の上端部側に配置される。その結果、筐体５１は、その左上隅の上端５１ａから上方に突出する有頭の円筒状アンテナカバー部５２Ａを有する。換言すれば、アンテナカバー部５２Ａが筐体５１の上端５１ａから食み出ている。このアンテナカバー部５２Ａは、アンテナ装置１０Ａのポール型アンテナモジュール２０Ａを覆う。
【００３３】
図２に図示した受信機５０では、アンテナカバー部５２は、筐体５１の上端５１ａから上方へ延在するアンテナストロークＨｃ１を有している。すなわち、アンテナカバー部５２は、アンテナストロークＨｃ１だけ筐体５１から食み出ている。このアンテナストロークＨｃ１は、ポール型アンテナモジュール２０の高さＨ１より高い（Ｈｃ１＞Ｈ１）。
【００３４】
これに対して、図５に示した受信機５０Ａでは、アンテナカバー部５２Ａは、筐体５１の上端５１ａから上方へ延在するアンテナストロークＨｃ２を有している。すなわち、アンテナカバー部５２Ａは、アンテナストロークＨｃ２だけ筐体５１から食み出ている。しかしながら、このアンテナストロークＨｃ２は、ポール型アンテナモジュール２０の高さＨ１より低い（Ｈｃ２＜Ｈ１）。何故なら、アンテナ装置１０Ａにおける回路基板３０Ａの主面３０ａからの突出量Ｈ２が、ポール型アンテナモジュール２０の高さＨ１より低い（小さい）からである。
【００３５】
そのため、従来のハンディ型のデジタルラジオ受信機５０（図２）に比較して、ハンディ型のデジタルラジオ受信機５０Ａは、その小型化を図ることが可能となる。
【００３６】
また、図２に図示した、従来のハンディ型のデジタルラジオ受信機５０では、アンテナカバー部５２が筐体５１の左上隅の上端５１ａからアンテナストロークＨｃ１だけ高く突出する（食み出る）ので、外観上の見栄えも良くない。これに対して、図５に図示したハンディ型のデジタルラジオ受信機５０Ａでは、アンテナカバー部５２Ａが筐体５１の左上隅の上端５１ａからアンテナストロークＨｃ２だけ低く突出する（食み出る）ので、外観上の見栄えを向上させることができる。
【００３７】
次に、図６及び図７を参照して、図３のアンテナ装置１０Ａに使用されるポール型アンテナモジュール２０について説明する。図６はポール型アンテナモジュール２０の外観を示す正面図である。図７は図６に示したポール型アンテナモジュール２０の展開図で、（Ａ）は第１の面（内周面）を示す平面図、（Ｂ）は第２の面（外周面）を示す平面図である。
【００３８】
図示のポール型アンテナモジュール２０は、図７に示されるような可撓性の誘電体フィルム部材２０ａを中心軸の回りに筒状に丸めて形成された筒体２０ｂを有する。図７において、（Ａ）は誘電体フィルム部材２０ａの第１の面２０−１を示し、（Ｂ）は誘電体フィルム部材２０ａの第２の面２０−２を示す。
【００３９】
誘電体フィルム部材２０ａは、低損失誘電体材料、例えばテフロン（登録商標）系材料によるフィルムを用いて作製される。誘電体フィルム部材２０ａの第１の面２０−１側には、上部および下部にそれぞれアンテナパターン部分２０Ａおよびフェーズシフタ部分２０Ｐが形成されている。アンテナパターン部分２０Ａは、実質的に平行四辺形の形状をしており、フェーズシフタ部分２０Ｐは、実質的に矩形の形状をしている。
【００４０】
アンテナパターン部分２０Ａは、ポール型アンテナモジュール２０の長手方向（中心軸方向）で螺旋状に延在して形成されたヘリカルパターン部分２０Ｈと、筒体２０ｂの上端部においてヘリカルパターン部分２０Ｈの端部と接続されるループパターン部分２０Ｌとから構成されている。
【００４１】
誘電体フィルム部材２０ａを第１の面２０−１が内周面となるように丸めたうえで、その一対の側辺間を接続することにより、図６に示されるような、筒体２０ｂが形成される。一対の側辺間の接続は、例えば、両面接着テープや接着剤、半田付けなどによって行われる。
【００４２】
ヘリカルアンテナ部分２０Ｈの第１の面２０−１上には、第１乃至第４のヘリカル導体２１，２２，２３，２４から成る第１のアンテナパターンが形成されている。図示の第１乃至第４のヘリカル導体２１〜２４の各々は、ポール型アンテナモジュール２０の長手方向（中心軸方向）で４回反対方向へ屈曲した状態で、側辺と平行に延在して形成されている。特に、第１乃至第４のヘリカル導体２１〜２４の各々において側辺と平行に延在している５本の導体パターンのうちの少なくとも１本、ここではフェーズシフタパターン２５に接続される導体パターンをミアンダ状、つまりジグザグに蛇行させるようにしている。
【００４３】
上述したように誘電体フィルム部材２０ａを筒体２０ｂに丸めると、第１乃至第４のヘリカル導体２１〜２４の各々は、筒体２０ｂの内周面に、ポール型アンテナモジュール２０の長手方向（中心軸方向）で４回反対方向へ屈曲した状態で、へリックス状に延在して形成されることになる。第１乃至第４のヘリカル導体２１〜２４から成る第１のアンテナパターンはヘリカルアンテナとして働く。
【００４４】
このような構成では、第１乃至第４のヘリカル導体２１〜２４の各々がポール型アンテナモジュール２０の長手方向で屈曲し、しかも各ヘリカル導体の一部がミアンダ状に形成されているので、導体長を長くすることができ、ヘリカル導体が屈曲しない場合に比較して、ポール型アンテナモジュール２０の高さを低くすることができる。
【００４５】
ループアンテナ部分２０Ｌの第１の面２０−１上には、第１乃至第４のヘリカル導体２１〜２４の先端（上端）と接続されたループ導体２８から成る第２のアンテナパターンが形成されている。このループ導体２８から成る第２のアンテナパターンはループアンテナとして働く。
【００４６】
フェーズシフタ部分２０Ｐの第１の面２０−１上には、上記第１のアンテナパターンと電気的に接続されたフェーズシフタパターン２５が形成されている。従って、上述したように誘電体フィルム部材２０ａを筒体２０ｂに丸めると、筒体２０ｂの内周面にフェーズシフタパターン２５が形成されることになる。このフェーズシフタパターン２５は移相器として働く。
【００４７】
フェーズシフタ部分２０Ｐの第２の面２０−２上には、グランドパターン２７が形成されている。すなわち、グランドパターン２７は、フェーズシフタパターン２５が形成された場所と対向する面に形成されている。従って、上述したように誘電体フィルム部材２０ａを筒体２０ｂに丸めると、筒体２０ｂの外周面で、且つフェーズシフタパターン２５が形成された部分と反対側の面にグランドパターン２７が形成されることになる。このグランドパターン２７は、フェーズシフタパターン２５を覆うように設けられたシールド部材として働く。フェーズシフタパターン２５の出力端子２５ａは、回路基板３０Ａの裏面３０ｂに搭載された低雑音増幅器（ＬＮＡ）に接続される。
【００４８】
このような構成のポール型アンテナモジュール２０を備えたアンテナ装置１０Ａでは、ループアンテナ部分２０Ｌのループ導体２８及びヘリカルアンテナ部分２０Ｈの４本の導体２１〜２４で受信された複数の衛星波（円偏波）は、フェーズシフタパターン２５によってそれらの位相をシフトすることにより互いに位相を一致させて（調整して）合成された後、回路基板３０Ａの裏面３０ｂに搭載された低雑音増幅器（ＬＮＡ）によって増幅され、ケーブル（図示せず）を介して受信機本体６０へ送られる。
【００４９】
本実施の形態では、グラウンドパターン２７が形成されているフェーズシフタ部分２０Ｐのみを、回路基板３０Ａの主面３０ａより下方（シールドカバー４０側）へ埋め込んでいる。換言すれば、アンテナパターン部分２０Ａは回路基板３０Ａの主面３０ａより上方へ突出している。すなわち、ポール型アンテナモジュール２０の本来のアンテナと機能する部分であるアンテナパターン部分２０Ａは、回路基板３０Ａの主面３０ａより上方にある。
【００５０】
従って、図３に示されるように、ポール型アンテナモジュール２０を回路基板３０Ａの貫通孔３０ｃを貫通した状態で、回路基板３０Ａに搭載したとしても、ポール型アンテナモジュール２０のアンテナとして性能が劣ることはない。
【００５１】
なお、図６及び図７にポール型アンテナモジュール２０の一例を示して説明したが、ポール型アンテナモジュール２０は、上述した実施の形態に限定しないのは勿論である。例えば、上記実施の形態では、第１のアンテナパターンとして筒体の内周面に形成された４本のヘリカル導体を用いているが、少なくとも２本のヘリカル導体から成って良い。上記実施の形態では、第１のアンテナパターンを構成する各ヘリカル導体がポール型アンテナモジュールの長手方向（中心軸方向）で４回反対方向へ屈曲しているが、少なくとも１回反対方向へ屈曲するもので良い。上記実施の形態では、シールド部材として筒体の外周面に形成されたグラウンドパターンを用いているが、シールド部材はこれに限定されず、フェーズシフタパターンを覆うように設けられていれば良い。
【００５２】
以上、本発明を実施形態によって説明してきたが、本発明は上述した実施形態に限定されないのは勿論である。例えば、上記実施の形態において説明した受信機は、ハンディ型のデジタルラジオ受信機であるが、これに限定される訳ではなく、他の用途の受信機にも適用可能である。
【図面の簡単な説明】
【００５３】
【図１】従来のアンテナ装置を示す正面図である。
【図２】図１に示したアンテナ装置を内蔵した、従来の受信機を示す正面図である。
【図３】本発明の一実施の形態に係るアンテナ装置を示す正面図である。
【図４】図３に示したアンテナ装置に使用される回路基板を示す平面図である。
【図５】図３に示したアンテナ装置を内蔵した、本発明の一実施の形態に係る受信機を示す正面図である。
【図６】図３に示したアンテナ装置に使用されるポール型アンテナモジュールを示す正面図である。
【図７】図６に示したポール型アンテナモジュールの展開図で、（Ａ）は第１の面（内周面）を示す平面図、（Ｂ）は第２の面（外周面）を示す平面図である。
【符号の説明】
【００５４】
１０Ａ    ハンディ型のデジタルラジオ受信機
２０    ポール型アンテナモジュール
２０ａ    可撓性の誘電体フィルム部材
２０ｂ    筒体
２０Ａ    アンテナパターン部分
２０Ｈ    ヘリカルアンテナ部分
２０Ｌ    ループアンテナ部分
２０Ｐ    フェーズシフタ部分
２０−１    第１の面（内周面）
２０−２    第２の面（外周面）
２１〜２４    ヘリカル導体（第１のアンテナパターン）
２５    フェーズシフタパターン（移相器）
２７    グランドパターン（シールド部材）
２８    ループ導体（第２のアンテナパターン）
３０Ａ    回路基板（ＬＮＡ基板）
３０ａ    主面
３０ｂ    裏面
３０ｃ    貫通孔
４０    シールドカバー
５０Ａ    受信機
５１    筐体
５２Ａ    アンテナカバー部
【図１】
2008072266.tif 000003
【図２】
2008072266.tif 000004
【図３】
2008072266.tif 000005
【図４】
2008072266.tif 000006
【図５】
2008072266.tif 000007
【図６】
2008072266.tif 000008
【図７】
2008072266.tif 000009